(57)【要約】【課題】吸い込みカバーを取り付けた状態でしか吸い込むことができない構造を機械的に実現することができ、しかも吸い込みカバーを外したとき吸い込みボックス内の滑りのある水垢や汚れを簡単に取ることできるようにする。【解決手段】吸い込みボックス１を吸い込み口２が浴槽３内を向くように装着する。ジェットバスのポンプ側と連通する透孔４を吸い込みボックス１の側面に設ける。外周が吸い込みボックス１に沿う板状の可動板５を吸い込みボックス１内に移動自在に内装すると共に可動板５が吸い込みボックス１を閉塞する位置まで移動するように付勢するバネ６を設ける。吸い込みカバー７を吸い込み口２が覆われるように吸い込み口２に着脱自在に被着する。吸い込みカバー７を被着した状態で上記バネ６に抗して可動板５を吸い込みボックス１の底部に近接する位置まで押圧する脚部８を吸い込みカバー７の裏側に一体に設ける。【選択図】        図１
2004313388.tif 000002
【特許請求の範囲】
【請求項１】
有底筒状の吸い込みボックスをこの吸い込みボックスの一端の開口である吸い込み口が浴槽内を向くように装着し、ジェットバスのポンプ側と連通する透孔を吸い込みボックスの側面に設け、外周が吸い込みボックスに沿う板状の可動板を吸い込みボックス内に吸い込みボックスの深さ方向に移動自在に内装すると共に可動板が吸い込みボックスを閉塞する位置まで移動するように付勢するバネを吸い込みボックスの底部と可動板との間に介装し、通水性のある吸い込みカバーを吸い込み口が覆われるように吸い込み口に着脱自在に被着し、吸い込みカバーを被着した状態で上記バネに抗して可動板を吸い込みボックスの底部に近接する位置まで押圧する脚部を吸い込みカバーの裏側に一体に設けて成ることを特徴とするジェットバスの吸い込み口の構造。
【請求項２】
可動板の外周に半硬質の掻き取り爪を設けたことを特徴とする請求項１記載のジェットバスの吸い込み口の構造。
【請求項３】
吸い込みボックスの底部から底部方向にガイド筒を突設すると共に可動板から底部方向に突設したガイド棒をガイド筒に移動自在に挿通したことを特徴とする請求項１または請求項２記載のジェットバスの吸い込み口の構造。
【発明の詳細な説明】
【０００１】
【発明の属する技術分野】
本発明は、ジェットバスにおいて、浴槽の浴用水を吸い込む部分の構造に関するものである。
【０００２】
【従来の技術】
従来のジェットバスの吸い込み口部分は、浴槽の側壁に有底筒状の吸い込みボックスを吸い込みボックスの開口である吸い込み口が浴槽内に臨むように取り付け、この吸い込みボックスにジェットバスのポンプに連通させ、吸い込みボックスの吸い込み口にこの吸い込み口を覆う吸い込みカバーを取り付けてある。この吸い込みカバーはジェットバスの使用中に吸い込み口から入浴者の毛髪が吸い込まれたりタオルが吸い込まれたりするのを防止するために取り付けられるのであるが、点検や清掃を行うために吸い込みカバーを着脱自在に取り付けてある。
【０００３】
ところが、吸い込みカバーを付け忘れた状態でジェットバスを運転してしまうと、吸い込み口から毛髪やタオルが直接吸い込まれてしまうという危険性がある。この問題がをなくすために吸い込みカバーが取り付けられているか否かを磁気的に検知し、吸い込み口カバーが取り付けられていないと検知したときジェットバスを運転しないように制御したものがある（例えば、特許文献１参照）。
【０００４】
【特許文献１】
特開２００３−４５６号公報
【０００５】
【発明が解決しようとする課題】
ところが、上記従来例の場合、吸い込みカバーの着脱の有無に対応して電気的に制御する必要があり、誤動作するおそれがあると共に制御が複雑になるという問題がある。また吸い込みカバーを取り外した状態で吸い込みボックス内の掃除をするが、吸い込みボックスの内面に滑りのある水垢や汚れが付着しており、吸い込み口から吸い込みボックス内に手を入れて滑りのある水垢や汚れを取り除かなければならなく、掃除の作業がしにくいという問題がある。
【０００６】
本発明は上記の点に鑑みてなされたものであり、吸い込みカバーを取り付けた状態でしか吸い込むことができない構造を機械的に実現することができ、しかも吸い込みカバーを外したとき吸い込みボックス内の滑りのある水垢や汚れを簡単に取ることできるジェットバスの吸い込み口の構造を提供することを課題とするものである。
【０００７】
【課題を解決するための手段】
上記課題を解決するための本発明のジェットバスの吸い込み口の構造は、有底筒状の吸い込みボックス１をこの吸い込みボックス１の一端の開口である吸い込み口２が浴槽３内を向くように装着し、ジェットバスのポンプ側と連通する透孔４を吸い込みボックス１の側面に設け、外周が吸い込みボックス１に沿う板状の可動板５を吸い込みボックス１内に吸い込みボックス１の深さ方向に移動自在に内装すると共に可動板５が吸い込みボックス１を閉塞する位置まで移動するように付勢するバネ６を吸い込みボックス１の底部と可動板５との間に介装し、通水性のある吸い込みカバー７を吸い込み口２が覆われるように吸い込み口２に着脱自在に被着し、吸い込みカバー７を被着した状態で上記バネ６に抗して可動板５を吸い込みボックス１の底部に近接する位置まで押圧する脚部８を吸い込みカバー７の裏側に一体に設けて成ることを特徴とする。
【０００８】
吸い込みカバー７を吸い込み口２に被着した状態では、可動板５がバネ６に抗して吸い込みボックス１の底部に近接して吸い込み口２が開放されており、ジェットバスのポンプ１２を駆動すると、浴槽３内の浴用水が吸い込みカバー７を介して吸い込み口２から吸い込まれる。吸い込みカバー７を取り外すと、バネ６にて可動板５が吸い込み口２を塞ぐように移動する。吸い込みカバー７を取り付けない限り、可動板５にて吸い込み口２が塞がれており、吸い込みカバー７を外した状態でジェットバスのポンプ１２が駆動されても毛髪やタオルが吸い込まれる危険性を回避できる。また可動板５とバネ６と脚部８を設けるだけで上記弊害を防止できるので、誤動作のおそれがないと共に複雑な制御を必要としない。また吸い込みカバー７を外したとき、バネ６にて可動板５が吸い込み口２を塞ぐように移動するとき、可動板５の外周で吸い込みボックス１の内面に付着した滑りのある水垢や汚れＤが掻き取られ、水垢や汚れＤを簡単に取り除くことができる。
【０００９】
また可動板５の外周に半硬質の掻き取り爪９を設けたことを特徴とすることも好ましい。吸い込みカバー７を外して可動板５が吸い込み口２を閉塞するように移動するとき、可動板５の外周の半硬質の掻き取り爪９が吸い込みボックス１の内面に摺接するように移動して滑りのある水垢や汚れＤが一層確実に除去される。
【００１０】
また吸い込みボックス１の底部から底部方向にガイド筒１０を突設すると共に可動板５から底部方向に突設したガイド棒１１をガイド筒１０に移動自在に挿通したことを特徴とすることも好ましい。可動板５が吸い込みボックス１に対して移動するときガイド棒１１がガイド筒１０でガイドされて可動板５が円滑に移動する。
【００１１】
【発明の実施の形態】
浴槽３はジェットバスであり、図４に示すように浴槽３の長手方向の一端の端面に気泡を含んだ浴用水を浴槽３内に吐出する吐出部１３を設けてある。浴槽３の長手方向と平行な側面に浴用水を吸い込む吸い込み部としての吸い込みボックス１を設けてあり、吸い込みボックス１と吐出部１３とを浴用水吸い込み管路１４にて連通させてあり、浴用水吸い込み管路１４の途中には浴用水を吸い込むためのポンプ１２を配置してある。浴槽３のフランジ１８の隅部には空気吸い込み口１５を設けてあり、空気吸い込み口１５と吐出部１３とを空気吸い込み管路１６にて連通させてある。
【００１２】
吸い込みボックス１は図１に示すように有底円筒状に形成されており、開口である吸い込み口２が浴槽３内を向くように浴槽３の側面に取り付けてある。吸い込みボックス１の側面には透孔４を穿孔してあり、この透孔４を浴用水吸い込み管路１４に連通させてある。可動板５は外周が吸い込みボックス１の側面の内周に沿う円盤状に形成されており、可動板５が吸い込みボックス１の底部と平行な状態で吸い込みボックス１の深さ方向に移動自在になるように吸い込みボックス１内に配置されている。吸い込みボックス１の底部の中央から底部方向に突出するようにガイド筒１０を突設してあり、可動板５の中央から底部方向に突設したガイド棒１１をガイド筒１０に摺動自在に挿通してある。ガイド棒１１の周りで吸い込みボックス１の底部と可動板５との間にはコイルバネからなるバネ６を介装してあり、バネ６にて可動板５が吸い込み口２の方に移動するように付勢してある。可動板５の外周には図３に示すように断面略直角三角形で半硬質の掻き取り爪９を可動板５の全周に亙るように設けてある。
【００１３】
吸い込みボックス１の吸い込み口２には吸い込みカバー７が被着されるのであるが、この吸い込みカバー７は格子状にして通水できるようになってある。吸い込みカバー７を取り付けるとき、吸い込みカバー７の外周の鍔部１７の内周には雌ねじを設けてあり、吸い込み口２の外周に雄ねじを設けてあり、雌ねじに雄ねじを螺合することで吸い込みカバー７を着脱自在に取り付けてある。吸い込みカバー７の裏側には図２に示すように脚部８を一体に設けてある。この脚部８は吸い込みカバー７の裏面から突設した複数本の突片８ａと突片８ａの先端に一体に設けた円環状の底板８ｂとで構成されている。
【００１４】
通常、吸い込みカバー７は吸い込み口２に図１（ａ）に示すように取り付けられるものであり、吸い込みカバー７を取り付けた状態で脚部８で可動板５がバネ６に抗して押されて可動板５が吸い込みボックス１の底部に近接している。この状態でポンプ１２が駆動されると、吸い込みカバー７から吸い込みボックス１内、透孔４、浴用水吸い込み管路１４を介して浴用水が吸い込まれる。このとき、吸い込み口２に吸い込みカバー７を被着してあるために毛髪やタオル等が吸い込まれるおそれがない。掃除や点検のとき、吸い込みカバー７を外すと、図１（ｂ）に示すように吸い込みカバー７の脚部８で可動板５の押圧が解除され、バネ６の力で可動板５を突出して可動板５で吸い込み口２が閉塞される。このため吸い込みカバー７を被着するのを忘れてポンプ１２が駆動されても、吸い込み口２が可動板５にて閉塞されているために吸い込まれる危険性がない。また吸い込みカバー７を外したとき可動板５がバネ６の力で底部から吸い込み口２の方に移動するが、この際に可動板５の外周で吸い込みボックス１の内周に付着した滑りのある水垢や汚れＤが掻き取られ、水垢や汚れＤの掃除が容易にできる。この際、可動板５の外周に半硬質の掻き取り爪９があると、一層水垢や汚れＤを確実に掻き取ることができる。また可動板５が移動するとき、ガイド棒１１がガイド筒１０でガイドされて可動板５の移動がスムーズに行われる。
【００１５】
【発明の効果】
本発明の請求項１の発明は、有底筒状の吸い込みボックスをこの吸い込みボックスの一端の開口である吸い込み口が浴槽内を向くように装着し、ジェットバスのポンプ側と連通する透孔を吸い込みボックスの側面に設け、外周が吸い込みボックスに沿う板状の可動板を吸い込みボックス内に吸い込みボックスの深さ方向に移動自在に内装すると共に可動板が吸い込みボックスを閉塞する位置まで移動するように付勢するバネを吸い込みボックスの底部と可動板との間に介装し、通水性のある吸い込みカバーを吸い込み口が覆われるように吸い込み口に着脱自在に被着し、吸い込みカバーを被着した状態で上記バネに抗して可動板を吸い込みボックスの底部に近接する位置まで押圧する脚部を吸い込みカバーの裏側に一体に設けたので、吸い込みカバーを吸い込み口に被着した状態では、可動板がバネに抗して吸い込みボックスの底部に近接して吸い込み口が開放されており、ジェットバスのポンプを駆動すると、浴槽内の浴用水が吸い込みカバーを介して吸い込み口から吸い込まれるのは勿論、吸い込みカバーを取り外すと、バネにて可動板が吸い込み口を塞ぐように移動し、吸い込みカバーを取り付けない限り、可動板にて吸い込み口が塞がれており、吸い込みカバーを外した状態でジェットバスのポンプが駆動されても毛髪やタオルが吸い込まれる危険性を回避できるものであり、また可動板とバネと脚部を設けるだけで上記弊害を防止できるので、誤動作のおそれがないと共に複雑な制御を必要としないものであり、さらに吸い込みカバーを外したとき、バネにて可動板が吸い込み口を塞ぐように移動するとき、可動板の外周で吸い込みボックスの内面に付着した滑りのある水垢や汚れが掻き取られ、水垢や汚れを簡単に取り除くことができるものである。
【００１６】
また本発明の請求項２の発明は、請求項１において、可動板の外周に半硬質の掻き取り爪を設けたので、吸い込みカバーを外して可動板が吸い込み口を閉塞するように移動するとき、可動板の外周の半硬質の掻き取り爪が吸い込みボックスの内面に摺接するように移動して滑りのある水垢や汚れが一層確実に除去されるものである。
【００１７】
また本発明の請求項３の発明は、請求項１または請求項２において、吸い込みボックスの底部から底部方向にガイド筒を突設すると共に可動板から底部方向に突設したガイド棒をガイド筒に移動自在に挿通したので、可動板が吸い込みボックスに対して移動するときガイド棒がガイド筒でガイドされて可動板が円滑に移動するものである。
【図面の簡単な説明】
【図１】本発明の実施の形態の一例の吸い込み口部分を示し、（ａ）は吸い込みカバーを被着した状態の断面図、（ｂ）は吸い込みカバーを外した状態の断面図である。
【図２】同上の要部の分解斜視図である。
【図３】同上の要部の動作を説明する断面図である。
【図４】同上の浴槽全体を示す斜視図である。
【符号の説明】
１  吸い込みボックス
２  吸い込み口
３  浴槽
４  透孔
５  可動板
６  バネ
７  吸い込みカバー
８  脚部
９  掻き取り爪
１０  ガイド筒
１１  ガイド棒
【図１】
2004313388.tif 000003
【図２】
2004313388.tif 000004
【図３】
2004313388.tif 000005
【図４】
2004313388.tif 000006